(57)【要約】      （修正有）【課題】経年劣化を驚異的に防ぐことができる補強布入り二層構造３工程の塗膜防水工法を提供する。【解決手段】第１工程と第二工程の作業によって、網目状ガラス繊維製の補強布入りの強靭な一層目４の防水層を形成し、更にその上に第３工程の作業でもう一つの防水層１０とトップコート１１で成る二層目５を形成し、斯くして上層の二層目５で紫外線を完全に遮断し、下層の一層目４に万が一紫外線が届いたとしても、更に強靭な一層目の補強布入りの構造によって経年劣化を長年に亘って防ぎ、劣化が下地まで及ばないようにする補強布入り二層構造３工程の塗膜防水工法。【選択図】図６
2018109301.tif 000002
【特許請求の範囲】
【請求項１】
３工程に分けて二層構造の防水層を形成する防水施工法であって、第１工程〜第２工程において一層目が形成され、第３工程において二層目が形成されるのであって、
以下、工程順に説明するが、
第１工程は、防水施工対象体即ち下地の表面に下塗り剤プライマーを塗布してプライマー処理を行い、プライマーは時を置かずにすぐに乾くので、その上にウレタン塗膜防水材を施すのであり、
第２工程は、気温・湿度によって多少前後するが、ウレタン塗膜防水材を施して凡そ３時間〜４時間で乾くので、乾き具合を見計らって、その上に網目状ガラス繊維で成る補強布を敷設し、敷設された補強布は乾き時間を要しないので、時を置かずすぐに次の作業に移ることが出来、その補強布の上に再びウレタン塗膜防水材を施し、ここに一層目の防水層が完成するのだが、
第３工程は、第２工程最後に再度のウレタン塗膜防水材を施してから凡そ３時間〜４時間経過後、その上を歩き回って作業できる程にしっかり乾いていることを確認したら、その上に相性の良いポリマーセメント系塗膜防水材を施すのであり、ここに第二層目の防水層が形成され、そこから３時間〜４時間を置いて、その上を歩き回れることを確認したら、最終作業としてその上にトップコートを施し、同時にそれによって、併せて二層構造で成る塗膜防水工法が完遂されることを特徴とする補強布入り二層３工程の塗膜防水工法。
【発明の詳細な説明】
【技術分野】
【０００１】  本発明は、アスファルト防水工法を除く従来の防水工法における防水材に比して、その耐久性を飛躍的に向上させるところの塗膜防水工法に関する。
【背景技術】
【０００２】  防水・止水工事における塗膜材の厚さ管理を出来る塗膜材被覆方法が知られている（特許文献１参照）。塗装面の膨れ、うねり、めくれを防ぐ塗膜防水工法も知られている（特許文献２参照）。
【先行技術文献】
【特許文献】
【０００３】
【特許文献１】特開２０１４−１６３０５２号公報
【特許文献２】特開２０１５−０６８０８３号公報
【発明の概要】
【発明が解決しようとする課題】
【０００４】  アスファルト防水工法以外の防水材の劣化の主因は、徐々に破壊的に作用して進行する紫外線である。それの対策としての一般的な方法は、トップコートを塗布し、３年〜５年毎に塗り替えるというものである。塗り替え期間が長すぎると、防水材は紫外線による劣化が進行し、亀裂や破断が起きてしまう。
特許文献１に示される先行技術は、下地表面に積層する塗膜材の厚さ相当の厚みで５０ミリ角・正方形という小さな形成体である厚さガイド体を、下地表面の１平方メートル当たり５枚を貼りつける工程が必須であり、現場の作業者にとっては誠に厄介で、現場作業向きではない。それは又、塗膜層の厚さを均等化するには役立つが、劣化を防ぐためのものとしての位置づけではない。また、塗膜材に使用されているエポキシ樹脂主に屋内の薬品工場や食品工場の床材として有効に使用されており、日射・紫外線に非常に弱く、露出面の劣化を防ぐ被覆材には不向きである。
特許文献２に示される先行技術は、高温ウレタンスプレーを形成するための特殊なウレタン、特殊な機器装置を要し、汎用性が低い。
【課題を解決するための手段】
【０００５】  ３工程に分けて二層構造の防水層を形成する防水施工法であって、第１工程〜第２工程において一層目が形成され、第３工程において二層目が形成されて、一つの全体としての防水工法が完遂される。
以下、工程順に説明する。
第１工程  ：  防水施工対象体即ち下地の表面に下塗り剤プライマーを塗布してプライマー処理を行う。プライマーは時を置かずにすぐに乾くので、その上にウレタン塗膜防水材を施す。
第２工程  ：  気温・湿度によって多少前後するが、ウレタン塗膜防水材を施して凡そ３時間〜４時間で乾くので、乾き具合を見計らって、その上に網目状ガラス繊維で成る補強布を敷設する。敷設された補強布は乾き時間を要しないので、時を置かずすぐに次の作業に移ることが出来、その補強布の上に再びウレタン塗膜防水材を施す。ここにおいて一層目の防水層が完成する。
第３工程  ：  第２工程最後に再度のウレタン塗膜防水材を施してから凡そ３時間〜４時間経過後、その上を歩き回って作業できる程にしっかり乾いていることを確認したら、その上に相性の良いポリマーセメント系塗膜防水材を施す。ここにおいて第二層目の防水層が形成される。そこから３時間〜４時間を置いて、その上を歩き回れることを確認したら、最終作業としてその上にトップコートを施す。同時にそれによって、併せて二層構造で成る塗膜防水工法が完遂されることとなる。
以上を特徴とする補強布入り二層３工程の塗膜防水工法である。
【発明の効果】
【０００６】  トップコートと第二層目の防水材によって、紫外線をほぼ完璧に遮断することが出来るので、一層目の防水材の劣化は極めて進行しにくくなる。
更に、一層目の防水層には網目状ガラス繊維で成る補強布が入っているため強靭な防水層となり、従来の防水施工法と比較して、耐久性を飛躍的に向上させる。
また、現在一般的な木造住宅に広く普及しているＦＲＤ（Ｆｉｂｅｒ  Ｒｅｉｎｆｏｒｃｅｄ  Ｐｌａｓｔｉｃｓ）防水材は、結露を作る性質があり、木製構造用合板で作られるベランダや屋上の木部が結露によって腐食することが知られているが、本発明において補強布入り二層構造で成る防水材は結露を生じないという効果がある。
【図面の簡単な説明】
【０００７】
【図１】  本発明において、一層目形成の前半作業、即ち下地にプライマー処理を終えた状態を示す断面図
【図２】  図１の状態の上にウレタン塗膜防水材を施して、第１工程を負えた状態を示す断面図
【図３】  本発明において、一層目形成の後半作業、即ち網目状ガラス繊維製の補強布を敷設し、第２工程の前半作業を終えた状態を示す断面図
【図４】  図３の状態の上に再度ウレタン塗膜防水材を施して、第２工程を終え、一層目形成を完了した状態を示す断面図
【図５】  本発明において、二層目形成の前半作業、即ち図４の状態の上にポリマーセメント系塗膜防水材を施し、第３工程の前半作業を終えた状態を示す断面図
【図６】  図４の状態の上にトップコートを施し、第３工程の作業を終えて二層目形成を完了し、それによって補強布入り二層構造３工程の塗膜防水工法が完遂された状態を示す断面図
【発明を実施するための形態】
【０００８】  以下、本発明の実施の形態を説明する。
３工程に分けて二層構造の防水層を形成する防水施工法であって、第１工程（１）〜第２工程（２）において一層目（４）が形成され、第３工程（３）において二層目（５）が形成される。
以下、工程順に説明する。
第１工程（１）  ：  防水施工対象体即ち下地（６）の表面に下塗り剤プライマー（７）を塗布してプライマー処理を行う。プライマー（７）は時を置かずにすぐに乾くので、その上にウレタン塗膜防水材（８ａ）を施す。
第２工程（２）  ：気温・湿度によって多少前後するが、ウレタン塗膜防水材（８）を施して凡そ３時間〜４時間で乾くので、乾き具合を見計らって、その上に網目状ガラス繊維で成る補強布（９）を敷設する。敷設された補強布（９）は乾き時間を要しないので、時を置かずすぐに次の作業に移ることが出来、その補強布（９）の上に再びウレタン塗膜防水材（８ｂ）を施す。ここにおいて一層目（４）の防水層が完成する。
第３工程（３）  ：  第２工程（２）最後に再度のウレタン塗膜防水材（８ｂ）を施してから凡そ３時間〜４時間経過後、その上を歩き回って作業できる程にしっかり乾いていることを確認したら、その上に相性の良いポリマーセメント系塗膜防水材（１０）を施す。ここにおいて第二層目（５）の防水層が完成する。そこから３時間〜４時間を置いて、その上を歩き回れることを確認したら、最終作業としてその上にトップコート（１１）を施す。同時にそれによって、併せて二層構造で成る塗膜防水工法が完遂されることとなる。
本発明は、以上の様な構成であるが、第一の特徴は、一層目の防水層形成に２つの工程作業を費やすこと、即ち下地（６）にプライマー（７）処理を施し、その上にウレタン塗膜防水材（８ａ）を施して第一工程（１）を終えるにとどまらず、そこから更に網目状のガラス繊維製の補強布（９）を敷設し、その上に再度ウレタン塗膜防水材（８ｂ）を施すという第二工程（２）の作業を追加するのである。ここに形成された一層目（４）は、補強布（９）入りの強靭な塗膜が下地に極めて柔軟に追従した層を成して、下地の経年劣化を驚異的な程度で防ぐのである。因みに、トップコート（１１）を塗布していない網目状ガラス繊維製の補強布（９）にウレタン塗膜防水材（８）を塗布した塗膜厚約１ミリを約２０年間屋外で雨曝し陽曝しで放置しておいても、尚防水機能が維持されていることが確認されている。網目状ガラス繊維製の補強布（９）入りの塗膜防水材の凄まじいまでの強靭さが想像できよう。
本発明は、その様な一層目（４）の上に、第３工程（３）の作業を追加するのである。即ち、一層目（４）のウレタン塗膜防水材（８ａ）と相性の良いポリマーセメント系塗膜防水材（１０）を塗布し、更にその上にトップコート（１１）を施す形で二層目（５）を形成し終える。斯くして上層の二層目（５）の防水層によって紫外線は完全に遮断され、下層の一層目（４）まで届くことはないが、何かの理由で一層目（４）に紫外線が届いたとしても、一層目（４）自体も網目状ガラス繊維製の補強布（９）入りの構造体であることにより、紫外線及び経年劣化による破壊的な自然作用に対し、従来の防水工法に比して、はるかに驚異的な抵抗力・耐性を発揮するのである。
【符号の説明】
【０００９】１  第一工程，      ２  第２工程，      ３  第３工程，      ４  一層目，
５  二層目，      ６  下地，      ７  プライマー，
８  ウレタン塗膜防水材，      ８ａ  ウレタン塗膜防水材，
８ｂ  ウレタン塗膜防水材，      ９  補強布，
１０  ポリマーセメント系塗膜防水材，      １１  トップコート
【図１】
2018109301.tif 000003
【図２】
2018109301.tif 000004
【図３】
2018109301.tif 000005
【図４】
2018109301.tif 000006
【図５】
2018109301.tif 000007
【図６】
2018109301.tif 000008